(57)【要約】【課題】  屈壁が折り出た状態であっても、紐の引き寄せで開口部を閉じる事ができる袋体を提供する。【解決手段】  対面で有する寄り壁１の上部へ、紐２を通す取手穴３と滑穴４とを設け、取手穴３と滑穴４との間に位置する紐２の部分領域を間隔域５とし、取手穴３から出る紐２の部分領域を取手域６とし、滑穴４から出る紐２の部分領域を架け域７とし、架け域７は袋体８の開口部９に架けられ、取手域６を取手穴３から引き出して行くことと連動して滑穴４から架け域７が引き込まれて短くなり、架け域７が短くなるに連れて開口部９の縁が互いに引き寄せられて閉じる構造にし、屈壁１０に架け域７が位置しなくても開口部９が閉じるので、屈壁１０が出ている状態でも対応できる。【選択図】  図１
2010111412.tif 000002
【特許請求の範囲】
【請求項１】
対面で有する寄り壁１の上部へ、紐２を通す取手穴３と滑穴４とを設け、取手穴３と滑穴４との間に位置する紐２の部分領域を間隔域５とし、取手穴３から出る紐２の部分領域を取手域６とし、滑穴４から出る紐２の部分領域を架け域７とし、架け域７は袋体８の天領域に位置する開口部９に架けられ、取手域６と架け域７とが連動して開口部９を閉じる構造にした天架け閉じ袋。
【発明の詳細な説明】
【技術分野】
【０００１】
本発明は、紐の引き寄せによって屈壁を屈折させ、袋体の開口部を閉じる事のできる袋に関する物である。
【背景技術】
【０００２】
従来の引き寄せ閉じ袋は、袋体の側面に有する屈壁へ架け域を架けて、引き寄せ閉じる構造であった。
【特許文献１】特願２００８−０５１７５４号
【特許文献２】特願２００８−１３４８８６号
【発明の開示】
【発明が解決しようとする課題】
【０００３】
屈壁へ架け域を位置付けて引き寄せ閉じる構造では、屈壁を袋体の内側へ折り込んで屈折させなければ開口部を閉じる事ができなかった事から、収納物が多い場合は閉じるのが困難な状態があった。本発明では、収納物が多い場合であっても、開口部を閉じ易くできる袋の提供を解決課題とする。
【課題を解決するための手段】
【０００４】
架け域を、袋体の天領域に有する開口部上に位置付ける。
【発明の効果】
【０００５】
架け域を開口部に位置付けた事によって、屈壁は外側へ折り出る事ができ、屈壁が折り出る事によって、袋体の中に収納物が多い状態であっても、屈壁の屈折を邪魔しないので、袋体の開口部を閉じ易くできる。
【発明を実施するための最良の形態】
【０００６】
最良の形態を、図１から図６を参照しながら、以下の実施例で説明する。
【実施例１】
【０００７】
図１は、屈線合着手提型袋の閉じ過程を示した要部透視斜視図であり、合着の言葉の意味は、接着、粘着、溶着、縫合、嵌合などの総称であり、袋体８の素材によって合着方法は変わる事から合着という言葉を使う事にし、寄り壁１方を前後方向の縦とし、屈壁１０方を左右方向の横とする事から側とも表示し、透視線は破線で折線は一点鎖線で表示し、山折谷折で表示する折り曲げ方向は外側からを基準にし、前後対面で有する寄り壁１の上部中央領域へ取手穴３を線対称の対で設け、前記線対称の中心線は寄り壁１の中央を天地に貫く線にし、取手穴３から適宜な間隔を空けた位置へ滑穴４を設け、滑穴４も線対称の対で設け、滑穴４の位置は限定ではないが、取手穴３と同じ高さの外側が望ましく、取手穴３の下や上であっても良く、紐２は一本を用いるのが望ましく、取手穴３と隣の滑穴４との間に位置する紐２の部分領域を間隔域５とし、間隔域５は袋体８の内面に位置し、取手穴３から出た紐２の部分領域を取手域６とし、取手域６はアーチを描いて他方の取手穴３から内面へ通されて再び間隔域５となり、一方の滑穴４から出た紐２の部分領域を架け域７とし、架け域７は袋体８の開口部９を天方向に跨いで対面する背面一方の滑穴４から中へ通されて背面一方の間隔域５になり、背面一方の取手穴３から出て背面の取手域６となり、前後でアーチ状になった取手域６に手を通して袋体８を下げれば架け域７が徐々に短くなって寄り壁１の天縁どうしを引き寄せ、屈壁１０の屈線１１が折り出て、袋体８の開口部９が閉じ、袋体８に収納物が入っていれば、自重で袋体が下がるので、手で下げなくても済み、屈壁１０が折り出ているので、収納物があっても屈壁１０の屈折を邪魔せず、架け域７が天方向に架かっているので、屈壁１０は折り出る事が可能になり、取手穴３と滑穴４との総称を紐穴１２とし、紐穴１２より上の領域天地幅を広くして折り曲げ蓋にしても良く、紐２の端は紐止１３の部分で繋ぐ事で輪にする事が望ましく、紐止１３の設ける箇所は限定ではないが、紐止１３は間隔域５に設ける事が望ましく、紐２の形状や素材は限定ではなく、断面が平らな平紐又はテープであっても良いが、断面が丸い丸紐でアクリル製の組み紐が一般的に普及しているので望ましい。
【０００８】
図２は、未合着状態の袋体８を示した斜視図であり、袋体８の素材は限定ではなく、人工樹脂であるポリエステル、ポリプロピレン、織り布、不織布、紙など、通常の袋として用いられている素材ならばどれでも良く、底壁１４を折り上げる形状の袋体８では、布素材又はポリ素材が適合しており、屈壁１０中央の屈線１１を合着する事で袋体８は形成され、布素材ならば屈線１１の合着は縫合が望ましく、ポリ素材を用いる事が安価で望ましいので屈線１１の合着は溶着にし、袋体８の天縁は切断縁であっても良いが、ある程度の硬さが必要なので返し帯１５を設ける事が望ましく、返し帯１５は天縁からの一度返し折りであっても良いし、地縁を更に折り返す二度折りであっても良く、返し帯１５の側縁は、屈線１１と同時に溶着する事が望ましく、寄り壁１と側壁１０との境界に折線が有してなくても良いが、山折で側折線１６を入れる事が望ましく、寄り壁１上部領域の中心方向に適宜な間を空けた線対称で取手穴３を打抜き、取手穴３の外側へ線対称で滑穴４を打抜く事が望ましく、滑穴４と取手穴３との位置関係は限定ではなく、取手穴３の天地方向や斜めの天地方向であっても良いが、等高の真横が望ましく、取手穴３と滑穴４は返し帯１５と背面の寄り壁１とを重合させた貫通状態で打抜く事が望ましく、図面では、屈線１１を未溶着状態で表示しているが、紐穴１２の打抜きと同時に屈線１１の溶着を行う事は、従来技術で充分可能である。
【実施例２】
【０００９】
図３は、紙袋型手提袋の閉じ過程を示した要部透視斜視図であり、箱体を収納する場合は、屈線合着袋よりも屈壁１０の側縁を合着して形成する紙袋型が適しており、寄り壁１の上部に押し倒される蓋域１９を形成し、蓋域１９の上下幅は屈壁１０の横幅の半分と同寸にし、屈壁１０の上部へ蓋域１９の上下幅と同寸の高さを有する直角二等辺三角形の三角域２０を形成して折り込み、蓋域１９が三角域２０を押さえ込む位置関係にし、間隔域５に有する紐止１３は、点対称である対角の間隔域５にも形成する事が望ましく、紐止１３が二箇所有する事で取手域６どうしを同寸で維持でき、取手域６を引き上げる事で架け域７は引き込まれて徐々に短くなり、架け域７が短くなるに連れて蓋域１９は三角域２０を押さえ込んで倒れ込み、袋体８の開口部９は閉じて行き、屈壁１０の屈線１１が折れ曲がっていないので、袋体８の閉じ形状は箱型になり、側折線１６は直線が望ましいのであるが、自由にデザイン化された曲線だあっても良く、三角域２０は外へ折り出ても良い。
【実施例３】
【００１０】
図４は、屈線合着紐交差型袋の閉じ過程を示した要部透視斜視図であり、図１と同じ袋体８を用いて、取手域６を一箇所だけ交差して紐２を紐穴１２へ通しており、取手域６の交差によって手提としての使用形態の他、背負う事も考慮しており、紐止１３が背面の寄り壁１に位置する間隔域５に有しているので、正面の紐穴１２から出ている取手域６の根元部分を引き出せば架け域７は引き込まれて開口部９は閉じて行く。
【実施例４】
【００１１】
図５は、屈線合着背負い型袋の閉じ過程を示した要部透視斜視図であり、図４の形状を背負い型に特化させており、紐２は一本であっても二本であっても良く、正面の滑穴４から出た架け域７の背端は、背面の紐穴１２へ通されて玉１７によって塞ぎ留められる構造が望ましく、玉１７の構造は、別具を取り付けても良いが玉結びによって形成する事が望ましく、正面の取手穴３から出た取手域６の前端は脇穴１８に通されて、玉１７の形成で塞ぎ留められる構造が望ましく、袋体８が大きな場合は、脇穴１８で取手域６の前端を固定しているので、袋体８の下が揺れ動かない状態で背負う事ができる。
【実施例５】
【００１２】
図６は、屈線合着持ち手通し型袋の閉じ過程を示した要部透視斜視図であり、寄り壁１の上部に取り付けた持ち手２２の取り付け部分を筒部２３にし、筒形状を成した事で紐穴１２の役割を果たし、筒部２３の形成方法は限定ではなく、筒状物を合着しても良いが、持ち手２２をテープ形状物によって成し、端部と適宜に内側へ移動した箇所とを線上に合着して、線上合着の間を筒部２３とする事が望ましく、持ち手２２の形状は限定ではなく、直線であっても良いが、両端領域を垂直に折り下げて、この折り下げ領域を筒部２３にする事が望ましく、折り下げ筒部２３の外側隙間を滑穴４とし、内側隙間を取手穴３とし、紐２の両端を結合して輪にする事が望ましいのであり、紐２の結合部を紐止１３とし、紐止１３を止穴２１へ挿入して、紐２がずれるのを防止する事が望ましく、止穴２１の箇所は限定ではなく、筒部２３との重合箇所であっても良いし、筒部２３の横であっても良く、持ち手２２の取り付け箇所に筒部２３を設ける事が望ましいのであるが、筒部２３の横及び周囲へ紐穴１２を打抜いても良く、止穴２１の個数も限定ではなく、一箇所であっても良いが、点対称の対角で二箇所を設ける事によって取手域６の長さを均等にする事ができるので望ましく、又は筒部２３の横全てに止穴２１を設ける事が製造上楽である場合もあり、従来の紙袋に於いては、持ち手を接着する場合、持ち手取り付け部を別紙で重合補強して接着しており、この重合紙領域をも貫通した状態で紐穴１２を打抜いても良く、図１での紐穴１２は、二対の取手穴３と二対の滑穴４が二面の合計八穴であるが、持ち手２２を通す為の持ち手穴を増やしても良く、持ち手穴を増やせば合計十二穴になる。
【産業上の利用可能性】
【００１３】
本発明は、ポリ製袋及び紙袋で利用する技術であるが、布製の鞄にも適応できる。
【図面の簡単な説明】
【００１４】
【図１】屈線合着手提型袋の閉じ過程を示した要部透視斜視図（実施例１）
【図２】未合着状態の袋体８を示した斜視図
【図３】紙袋型手提袋の閉じ過程を示した要部透視斜視図（実施例２）
【図４】屈線合着紐交差型袋の閉じ過程を示した要部透視斜視図（実施例３）
【図５】屈線合着背負い型袋の閉じ過程を示した要部透視斜視図（実施例４）
【図６】屈線合着持ち手通し型袋の閉じ過程を示した要部透視斜視図（実施例５）
【符号の説明】
【００１５】
１  寄り壁
２  紐
３  取手穴
４  滑穴
５  間隔域
６  取手域
７  架け域
８  袋体
９  開口部
【図１】
2010111412.tif 000003
【図２】
2010111412.tif 000004
【図３】
2010111412.tif 000005
【図４】
2010111412.tif 000006
【図５】
2010111412.tif 000007
【図６】
2010111412.tif 000008